【手続補正書】
【提出日】平成15年7月4日(2003.7.4)
【手続補正１】
【補正対象書類名】明細書
【補正対象項目名】特許請求の範囲
【補正方法】変更
【補正の内容】
【特許請求の範囲】
【請求項１】
電子ミシンのデータメモリの編成方法において、
標準針目と針目パターンが記憶され、記憶位置を備えた電子メモリを有する前記電子ミシンを製造するステップと、
針目と針目パターンのデータ用の幾らかの未使用記憶位置を前記データメモリに残すステップと、
複数の針目と針目パターンに相当するデータの集合を与えて、前記電子ミシンの買い手とユーザとに対して有効となるデータから前記集合を作るステップと、
前記電子ミシンの前記買い手またはユーザによって前記複数の針目と針目パターンとから針目と針目パターンの個々の選択肢に相当するデータを選択するステップと、
前記選択されたデータは前記複数の針目と針目パターンのサブセットであり、
前記メモリの前記未使用記憶位置において更なる処理をすることなく前記選択されたデータを記憶し、それによって個々の要求に適合するデータメモリを有する電子ミシンを設けるステップと、
を備える、電子ミシンのデータメモリの編成方法。
【請求項２】
更に、データ処理ユニットによって前記選択されたデータを処理するステップと、
インターフェイス経由で前記電子ミシンの前記メモリの中へ前記選択されたデータを転送するステップと、
を備える、請求項１記載の電子ミシンのデータメモリの編成方法。
【請求項３】
更に、前記選択されたデータを用いて針目または針目パターンチャートを印刷するステップを備える、請求項１記載の電子ミシンのデータメモリの編成方法。
【請求項４】
更に、前記電子ミシンの針目または針目パターンモニター上で、付加的な前記選択されたデータに相当する針目または針目パターンを表示するステップを備える、請求項１記載の電子ミシンのデータメモリの編成方法。
【請求項５】
更に、製造業者または他の供給者のデータキャリアまたはデータベースから前記選択されたデータをダウンロードするステップであって、針目と針目パターンの前記選択肢は、前記電子ミシンにリンクしたデータ処理の導入上または前記電子ミシンの表示上、前記針目の形式または前記針目パターンに基づいている前記ステップを備える、請求項１記載の電子ミシンのデータメモリの編成方法。
【請求項６】
更に、前記電子ミシンに留められた針目または針目パターンチャート上の前記選択されたデータに相当する前記付加的な針目または針目パターンを表示する、請求項１記載の電子ミシンのデータメモリの編成方法。
【請求項７】
標準針目と針目パターンのデータは記憶される記憶位置と、針目と針目パターンのデータに対する幾らかの未使用記憶位置と、を備えたメモリを有する電子ミシンと、
複数の針目と針目パターンに相当するデータの集合と、
データの前記集合から針目と針目パターンのサブセットに相当する選択されたデータをデジタル的に読み取り、前記メモリの前記未使用位置の中へ更なる処理をせずに該選択されたデータを導入し、それによって標準針目のデータと個々に選択された針目または針目パターンの数のデータとを有する前記電子ミシンの前記メモリを設ける手段と、を備え、
前記電子ミシンは、前記メモリに記憶された針目と針目パターンを選択する選択手段と、すべての記憶された針目と針目パターンを表示する表示手段とを有する、システム。
【請求項８】
前記メモリは永続的に記憶されたデータによって占められるＲＯＭ記憶位置を含み、前記メモリは記憶用の付加的なデータを受信して既に記憶したデータを修正する付加的な記憶位置を含む、請求項７記載のシステム。
【請求項９】
ディスプレイ位置はすべてのメモリ位置に対して割り当てられ、選択要素が所定の針目タイプまたは針目パターンを選択するために設けられ、付加的なデータが記憶されているときにディスプレイ位置の前記割り当てを制御する手段が設けられた、請求項７記載のシステム。
【請求項１０】
更に、前記選択されたデータに対して割り当てられた表示位置を備えた針目または針目パターンチャートを付与するサポート手段を備えた、請求項７記載のシステム。
【請求項１１】
前記針目または針目パターンチャートは、それぞれ、前記電子ミシンの発光インジケータと選択要素とを、それを介して可視またはアクセス可能である開口部を備えた、請求項１０記載のシステム。
【請求項１２】
更に、前記選択されたデータを送るデータキャリア用の読み取りユニットを備えた、請求項７記載のシステム。
【請求項１３】
更に、前記選択されたデータを前記電子ミシンへ導入する入力ユニット用の前記電子ミシン上のコネクタと、前記選択されたデータに対応する針目パターンの描画表現の付加的なデータを記憶する手段と、を備えた、請求項７記載のシステム。
【請求項１４】
設定された電子データメモリを有する電子ミシンを設ける方法であって、
標準針目と針目パターンのデータが記憶されており、ＲＯＭ記憶位置を備えたデータメモリを有した電子ミシンを製造するステップと、
針目と針目パターンのデータ用の未使用ＲＡＭ記憶位置を前記データメモリに残すステップと、
針目と針目パターンに関係するデータの集合を設けて、前記電子ミシンの潜在的な買い手またはユーザに対するデータの前記集合を与えるステップと、
前記買い手と前記ユーザによってデータの前記集合から針目と針目パターンの個々の選択肢を選択するステップと、
前記電子ミシンを完成する前記電子ミシンの製造業者または小売業者によって、更なる処理をすることなく、前記データメモリ内の前記未使用位置へ前記選択された個々の選択肢を選択するステップと、
前記小売販売業者または前記ユーザの前記選択された個々の選択肢に従って、針目と針目パターンに対するデータを備えた完全メモリを有した前記小売販売業者と前記ユーザへ前記完成した電子ミシンを配送するステップと、
を備えた前記方法。
【請求項１５】
前記データメモリ内に記憶されたデータの複数の針目と針目パターンを示す針目または針目パターンチャートが印刷され、前記チャートは前記完成した電子ミシンと一緒に前記小売販売業者かユーザへ配送される、請求項１４記載の方法。
【請求項１６】
電子データメモリを有した電子ミシンを設ける方法であって、
標準針目と針目パターンが記憶され、ＲＯＭ記憶位置を備えたデータメモリを有した前記電子ミシンを製造するステップと、
針目と針目パターンのデータ用の幾らかのＲＡＭ未使用位置を前記データメモリに残すステップと、
針目と針目パターンのデータの集合を設けて、前記電子ミシンの潜在的な小売販売業者またはユーザに対してデータの前記集合を与えるステップと、
前記小売販売業者と前記ユーザとによってデータの前記集合から針目と針目パターンの個々の選択肢を選択するステップと、
前記電子ミシンを完成するために、更なる処理をすることなく、前記データメモリの前記未使用位置に前記選択されたデータを記憶するステップと、
針目の前記個々の選択肢に対応する標準針目および針目パターンの両者と選択されたデータとに対するデータを備えた完全メモリを有する前記完成した電子ミシンを配送するステップと、
前記データメモリ内に記憶されたデータの針目と針目パターンを示す針目または針目パターンチャートを印刷するステップと、を備え、前記チャートは前記完成した電子ミシンと一緒に使用される、前記方法。
【請求項１７】
前記チャートは前記電子ミシンに付された、請求項１６記載の方法。